(57)【要約】      （修正有）【課題】足に履き物を履いたままの状態でその上に履いて使用する履き物の提供。【解決手段】重ね履き履き物の甲被部は、ブーツ等のヒールが高くなっていることで足の甲１６の位置が高くなる履き物１５を履いたままの状態で、甲被部の長さを変えなくても使用できるよう、後側の甲被部１０の足の上面に接する部分１４が、ヒールの高い履き物を履いても高さに影響がない足の親指の付け根位置１７にあり、前側の甲被部９が履き物を履いた足のつま先部分を覆う位置にあるものにする。【選択図】図７
0003119990.tif 000002
【実用新案登録請求の範囲】
【請求項１】
平面的な、足を乗せる部分（以下「足乗せ部」という。）の大きさが、履物を履いた状態の足を乗せて使用出来る大きさの重ね履き履物。
【請求項２】
請求項１記載の履物において、スリッパ又はサンダルの形状をしていて、足乗せ部と足の甲を覆う部分（以下「甲被部」という。）が作る空間が、履物を履いた足を納めることが出来る広さの重ね履き履物。
【請求項３】
請求項２記載の履物において、甲被部が左右方向に渡る二本以上の帯状の物で構成される重ね履き履物。
【請求項４】
請求項３記載の履物において、足乗せ部の内、後ろ側のかかとが乗る範囲が低くなった重ね履き履物。
【請求項５】
請求項３記載の履物において、前側の甲被部が履物を履いた足のつま先部分を覆う位置にあり、後ろ側の甲被部の足の上面に接する部分が、足の親指の付け根位置にある重ね履き履物。
【請求項６】
請求項５記載の履物において、甲被部の帯の長さ方向の一部分にゴムなどの伸縮するものを使用している重ね履き履物。
【請求項７】
請求項１記載の履物において、足乗せ部の上面がゴム等の磨耗に対する耐久性が高く汚れにくい素材で出来た重ね履き履物。
【考案の詳細な説明】
【技術分野】
【０００１】    本考案は、人間が足に履物を履いたままの状態でその上に履いて使用する履物に関するもの。
【背景技術】
【０００２】  従来、屋内に設けられたトイレ等の、足で踏む面が汚れやすい箇所（以下「トイレ等」という。）では、履き替えて使用するその場所専用の履物が使用されている。
【考案の開示】
【考案が解決しようとする課題】
【０００３】  公共施設等における不特定多数の利用者が使用するトイレ等に、そこで使用する専用の履物を設置した場合、その出入り口付近に、履き替える前に履いていた履物（以下「元の履物」という。）を置くスペースが必要となり、また、履き替える手間が面倒だと思う人や、備え付けられた履物に対し不衛生感を感じる人などは、その履物に履き替えずにトイレ等を使用するため、その中の汚れを持ち出し、外を汚すことがある。
【課題を解決するための手段】
【０００４】  上記課題を解決するためにトイレ等で使用する履物を下記の重ね履き履物にする。
平面的な、足乗せ部の大きさが、履物を履いた状態の足を乗せて使用出来る大きさの重ね履き履物。【０００５】  また、上記履物において、スリッパ又はサンダルの形状をしていて、足乗せ部と甲被部が作る空間が、履物を履いた足を納めることが出来る広さの重ね履き履物。【０００６】  また、上記履物において、甲被部が左右方向に渡る二本以上の帯状の物で構成される重ね履き履物。【０００７】  また、上記履物において、足乗せ部の内、後ろ側のかかとが乗る範囲が低くなった重ね履き履物。【０００８】  または、段落番号０００６記載の履物において、前側の甲被部が履物を履いた足のつま先部分を覆う位置にあり、後ろ側の甲被部の足の上面に接する部分が、足の親指の付け根位置にある重ね履き履物。【０００９】  また、上記履物において、甲被部の帯の長さ方向の一部分にゴムなどの伸縮するものを使用している重ね履き履物。【００１０】  または、段落番号０００４記載の履物において、足乗せ部の上面がゴム等の磨耗に対する耐久性が高く汚れにくい素材で出来た重ね履き履物。
【考案の効果】
【００１１】  本履物を使用することにより履物を履きかえる手間が無くなり、備え付けの履物を直に使用することに対する不衛生感を感じる事が無くなる為、備え付けられた履物を使用しないトイレ等の利用者が減ることで、トイレ等の汚れを持ち出すことによる床などの汚れが軽減される効果が期待でき、さらに、トイレ等の出入り口付近に必要な、元の履物を置くスペースが不要となる。
【考案を実施するための最良の形態】
【００１２】  重ね履き履物の足乗せ部１の平面的な形状は従来のサンダル等と基本的には同じであるが、大きさは履物を履いた足を納める事が出来るよう通常の履物に比べ一回り大きいものとし、足に直接履いている履物のかかと側がつま先側より高なっていることが多いため、その底面と上面は平行になっており、甲被部の大きさは、足乗せ部と甲被部が作る空間が、履物を履いた足を納めることが出来る広さを作る大きさとする。【００１３】  請求項３の重ね履き履物の左右方向に渡る二本以上の帯状の甲被部２及び３は、ブーツやハイヒール等のあらゆる形状の履物を履いたままでの使用が可能にするために、マジックテープ等により長さを調節できるものが良い。【００１４】  請求項４の重ね履き履物の、足乗せ部４のかかとが乗る範囲５は、ブーツ等のヒールの高い履物を履いた状態で使用する際に、高いヒールを足乗せ部の中に納めることで甲の高さを下げ、甲被部の長さを変えなくても使用出来るようにするために低くなっており、その低くなった部分５の上面には、足に履いた履物のヒール位置が下がることにより出来るヒール下面の角度に合わせて、適度な角度をつける。【００１５】  請求項５の重ね履き履物の甲被部は、ブーツ等のヒールが高くなっていることで足の甲１６の位置が高くなる履物１５を履いたままの状態で、甲被部の長さを変えなくても使用出来るよう、後側の甲被部１０の足の上面に接する部分１４が、ヒールの高い履物を履いても高さに影響がない足の親指の付け根位置１７にあり、前側の甲被部９が履物を履いた足のつま先部分を覆う位置にあるものにする。【００１６】  請求項６の重ね履き履物は、甲被部が適度に伸び縮みすることで、足に履いている履物の形状や大きさの違いによる長さの微調整を不要にするため、甲被部９及び１０の帯の長さ方向の一部分をゴムなどの伸縮するもの１１及び１２にする。【００１７】  請求項７の重ね履き履物の足乗せ部の上面には、履物を履いた足が乗るため、ゴム等の磨耗に対する耐久性が高く汚れにくい素材を使用する。
【図面の簡単な説明】
【図１】本考案の請求項３の重ね履き履物を示す斜視図。
【図２】本考案の請求項３の重ね履き履物を示す側面図。
【図３】本考案の請求項４の重ね履き履物を示す斜視図。
【図４】本考案の請求項４の重ね履き履物を示す側面図。
【図５】本考案の請求項６の重ね履き履物を示す斜視図。
【図６】本考案の請求項６の重ね履き履物を示す側面図。
【図７】本考案の請求項６の重ね履き履物を、ヒールの高い履物を履いて使用した状態を示す側面図。
【符号の説明】
１    足乗せ部
２    前側の甲被部
３    後側の甲被部
４    足乗せ部
５    足乗せ部の内、かかとが乗る範囲が低くなった部分
６    前側の甲被部
７    後側の甲被部
８    足乗せ部
９    前側の甲被部
１０  後側の甲被部
１１  前側の甲被部の内、伸縮するものが使用された部分
１２  後側の甲被部の内、伸縮するものが使用された部分
１３  甲被部の、伸縮するものと、伸縮しないものの境
１４  後側の甲被部の足の上面に接する部分
１５  足に履いたヒールの高い履物
１６  足の甲
１７  足の親指の付け根
【図１】
0003119990.tif 000003
【図２】
0003119990.tif 000004
【図３】
0003119990.tif 000005
【図４】
0003119990.tif 000006
【図５】
0003119990.tif 000007
【図６】
0003119990.tif 000008
【図７】
0003119990.tif 000009